(57)【特許請求の範囲】
【請求項１】
携帯用端末機における撮影データを取得及び共有するための装置であって、
同じネットワークに存在する周辺機器を検索し、検索された周辺機器に対するリストを提供するデータ共有部と、
前記撮影データを取得するためのカメラを有するデータ取得部と、
取得される可能性のある撮影データに対応する被写体画像、前記検索された周辺機器のリスト、及び撮影ボタンを含むプレビュー画面を表示する表示部と、
前記撮影データの取得以前に前記検索された周辺機器のリストから前記撮影データを共有するための周辺機器をユーザが選択するのを感知し、前記撮影ボタン上の入力に応じて前記撮影データを取得し、 追加のユーザ入力なしに前記撮影ボタン上の前記入力に応じて前記取得された撮影データを前記選択された周辺機器に送信する制御部と、
を有することを特徴とする携帯用端末機における撮影データを取得及び共有するための装置。
【請求項２】
前記撮影データは、前記携帯用端末機の表示部に表示されるプレビュー画面上に表示される静止画像の撮影データと、動画像の撮影データとの内の少なくとも何れか一つであることを特徴とする請求項１に記載の携帯用端末機における撮影データを取得及び共有するための装置。
【請求項３】
前記周辺機器に対するリストは、同じネットワークに存在する周辺機器に対するリストであり、
前記同じネットワークとは、同じアクセスポイント（ＡＰ）を使用するワイファイ（ＷｉＦｉ）領域、ブルートゥース（登録商標）通信領域、赤外線通信領域の内の少なくとも何れか一つであることを特徴とする請求項１に記載の携帯用端末機における撮影データを取得及び共有するための装置。
【請求項４】
前記データ共有部は、前記プレビュー画面を複数の領域に分割した後、前記分割した領域の内の一部を前記周辺機器のリストを表示する領域として割り当てて、他の領域は前記周辺機器の検索を要請するボタンを割り当てることを特徴とする請求項２に記載の携帯用端末機における撮影データを取得及び共有するための装置。
【請求項５】
前記制御部は、前記検索された周辺機器のリストに含まれた周辺機器の中から前記取得された撮影データを共有する周辺機器を選択して、前記選択された周辺機器に前記取得された撮影データの共有を要請することを特徴とする請求項１に記載の携帯用端末機における撮影データを取得及び共有するための装置。
【請求項６】
前記取得された撮影データの共有を要請された周辺機器は、前記周辺機器の表示部にプレビュー画面を表示した後、受信した前記取得された撮影データを前記プレビュー画面に表示すると共に、
受信された前記取得された撮影データを貯蔵領域に貯蔵することを特徴とする請求項５に記載の携帯用端末機における撮影データを取得及び共有するための装置。
【請求項７】
前記撮影データを共有するための装置は、前記取得された撮影データを共有する周辺機器の検索及び前記取得された撮影データの共有工程を、アプリケーション実行を介して行うことを特徴とする請求項１に記載の携帯用端末機における撮影データを取得及び共有するための装置。
【請求項８】
携帯用端末機における撮影データを取得及び共有するための方法であって、
取得される可能性のある撮影データに対応する被写体画像、及び撮影ボタンを有するプレビュー画面を表示する工程と、
同じネットワークに存在する周辺機器を検索する工程と、
前記検索された周辺機器に対するリストを前記プレビュー画面に表示する工程と、
前記撮影データの取得以前に前記検索された周辺機器のリストの中から前記撮影データを共有するための周辺機器を選択する工程と、
前記撮影ボタン上の入力を感知する工程と、
前記撮影ボタン上の前記入力に応じて前記撮影データを取得し、追加のユーザ入力なしに取得した前記撮影データを前記選択した周辺機器に送信する工程と、を有することを特徴とする携帯用端末機における撮影データを取得及び共有するための方法。
【請求項９】
前記取得される可能性のある撮影データは、前記携帯用端末機の表示部に表示されるプレビュー画面上に表示される静止画像の撮影データと、動画像の撮影データとの内の少なくとも一つであることを特徴とする請求項８に記載の携帯用端末機における撮影データを取得及び共有するための方法。
【請求項１０】
前記周辺機器に対するリストは、同じネットワークに存在する周辺機器に対するリストであり、
前記同じネットワークとは、同じアクセスポイント（ＡＰ）を使用するワイファイ（ＷｉＦｉ）領域、ブルートゥース（登録商標）通信領域、赤外線通信領域の内の少なくとも一つであることを特徴とする請求項８に記載の携帯用端末機における撮影データを取得及び共有するための方法。
【請求項１１】
前記撮影データを共有するための方法は、前記携帯用端末機の表示部に前記プレビュー画面を表示する工程と、
前記プレビュー画面を複数の領域に分割する工程と、
分割した領域の内の一部を前記周辺機器のリストを表示する領域として割り当てる工程と、
他の領域は前記周辺機器の検索を要請するボタンを割り当てる工程と、をさらに有することを特徴とする請求項９に記載の携帯用端末機における撮影データを取得及び共有するための方法。
【請求項１２】
前記撮影データを取得及び共有するための方法は、前記周辺機器のリストに含まれた周辺機器の中から前記撮影データを共有するための周辺機器を選択する工程と、
前記選択された周辺機器に前記撮影データの共有を要請する工程と、をさらに有することを特徴とする請求項８に記載の携帯用端末機における撮影データを取得及び共有するための方法。
【請求項１３】
前記取得された撮影データの共有を要請された周辺機器は、前記周辺機器の表示部にプレビュー画面を表示する工程と、
受信した前記取得された撮影データを前記プレビュー画面に表示する工程と、を含み、
前記受信した前記撮影データは、貯蔵領域に貯蔵することを特徴とする請求項１２に記載の携帯用端末機における撮影データを取得及び共有するための方法。
【請求項１４】
前記撮影データを取得及び共有するための方法は、前記取得された撮影データを共有するための周辺機器の検索、及び前記取得された撮影データの共有工程を、アプリケーション実行工程を介して行うことを特徴とする請求項８に記載の携帯用端末機における撮影データを取得及び共有するための方法。
【発明の詳細な説明】
【技術分野】
【０００１】
本発明は、携帯用端末機の画像取得装置及びその方法に関し、特に、携帯用端末機における撮影データの取得とともに周辺機器に取得したデータを送信して共有するための装置及びその方法に関する。
【背景技術】
【０００２】
近年、携帯用端末機は、その急激な発達によって現代人においてかけてはならぬ必需品として老若男女を問わず使用されており、無線音声電話及び情報交換の可能な媒体として利用されている。
【０００３】
携帯用端末機の普及の初期には、単に携帯できる無線電話が可能なものとしか認識されなかったが、その技術の発達に伴いサービス提供者及び端末機製造者は、異なるメーカと差別化のために製品（またはサービス）を競争的に開発している。
例えば、携帯用端末機は、フォンブック、ゲーム、短文メッセージ、電子メール、モーニングコール、ＭＰ３、日程管理機能、デジタルカメラ及び無線インターネットサービス可能のマルチメディア機器として発展し多様なサービスの提供が可能である。
【０００４】
上記のデジタルカメラ機能は、別途のカメラを持ち歩かなくてもいつでも画像の撮影ができるという長所を提供することで、ユーザはいつでもやすく画像を撮影し貯蔵した後、時間及び場所の制約なしにどこでも撮影画像が確認できる。
ユーザは、上記のようなデジタルカメラ機能を利用して撮影した画像を他の機器に貯蔵するかまたはプリントして他のユーザと共有することもある。
【０００５】
しかしながら、従来の携帯用端末機では、撮影した画像を共有するために別途の機器に貯蔵するかまたは近距離通信を含む無線通信を利用してから貯蔵のデータを共有しなければならない不便があった。
上述の通信を利用したデータ共有方法では、通信接続工程に伴う不便が生じることからユーザは撮影画像の共有の際に不便を大きく感じられるという問題があった。
従って、上記のような問題点を解決するために携帯用端末機における撮影画像の共有工程を単純化させるための装置及びその方法が求められる。
【先行技術文献】
【特許文献】
【０００６】
【特許文献１】韓国特許出願公開第１０−２００８−００４７６８３号明細書
【発明の概要】
【発明が解決しようとする課題】
【０００７】
そこで、本発明は上記従来の携帯用端末機における問題点に鑑みてなされたものであって、本発明の目的は、携帯用端末機において取得した撮影データを周辺機器と共有するための装置及びその方法を提供することにある。
【０００８】
本発明の他の目的は、携帯用端末機において撮影データ取得の際に同じネットワークに存在する周辺機器を検索して該当機器に撮影データを送信するための装置及びその方法を提供することにある。
本発明のさらに他の目的は、携帯用端末機において同じネットワークに存在する周辺機器のうち特定機器を選択して撮影データの共有のための準備する装置及びその方法を提供することにある。
本発明のさらに他の目的は、携帯用端末機において同じネットワークに存在する周辺機器に撮影データを貯蔵するための装置及びその方法を提供することにある。
【課題を解決するための手段】
【０００９】
上記目的を達成するためになされた本発明による携帯用端末機における撮影データを共有するための装置は、携帯用端末機における撮影データを共有するための装置であって、前記撮影データの共有の際に、共有することのできる周辺機器に対するリストを提供するデータ共有部と、前記撮影データを取得するデータ取得部と、前記リストの中から前記撮影データを共有する周辺機器を選択し、前記撮影データが取得した後、取得した前記撮影データを前記選択された周辺機器に送信する制御部とを有することを特徴とする。
【００１０】
上記目的を達成するためになされた本発明による携帯用端末機における撮影データを共有するための方法は、携帯用端末機における撮影データを共有するための方法であって、前記撮影データの共有の際に、共有することのできる周辺機器に対するリストを提供する工程と、前記リストの中から共有する周辺機器を選択する工程と、前記撮影データを取得する工程と、前記撮影データを取得すると共に、取得した前記撮影データを選択した周辺機器に送信する工程とを有することを特徴とする。
【発明の効果】
【００１１】
本発明に係る携帯用端末機における撮影データを共有するための装置及びその方法によれば、撮影データ取得の際に周辺機器に撮影データを送信することで別途のデータ共有工程なしに撮影データの共有が可能になるという効果がある。
【図面の簡単な説明】
【００１２】
【図１】本発明によって撮影データを共有する携帯用端末機の構成を示すブロック図である。
【図２】本発明による携帯用端末機における撮影データを周辺機器と共有する工程を説明するためのフローチャートである。
【図３】本発明による携帯用端末機における撮影データを受信する工程を説明するためのフローチャートである。
【図４】発明の好ましい一実施形態による携帯用端末機における撮影データを共有するための周辺機器を選択する工程を示す図であり、（Ａ）は本発明の好ましい一実施形態による携帯用端末機の画面構成を示す図であり、（Ｂ）は撮影データを共有するための周辺機器を選択する画面を示す図である。
【図５】本発明の好ましい一実施形態による携帯用端末機における撮影データを共有する工程を示す図である。
【発明を実施するための形態】
【００１３】
次に、本発明に係る携帯用端末機における撮影データを共有するための装置及びその方法を実施するための形態の具体例を図面を参照しながら説明する。
【００１４】
本発明を説明することにおいて、関連の公知機能もしくは構成に対する具体的な説明が本発明の要旨を不明確にする恐れがあると判断される場合その詳しい説明は省略する。
【００１５】
以下の説明では、本発明による携帯用端末機における同じネットワークに存在する周辺機器と撮影データを共有するための装置及びその方法に対して説明する。
撮影データは、携帯用端末機の表示部に表示されるプレビュー画面上に表示される画像または動画データを撮影したデなどであってよく、同じネットワークとは、同じアクセスポイント（ＡＰ）を用いるワイファイ（ＷｉＦｉ）領域、ブルートゥース（登録商標）通信領域、赤外線通信領域などのように携帯用端末機の通信領域であってもよい。
【００１６】
図１は、本発明によって撮影データを共有する携帯用端末機の構成を示すブロック図である。
図１に示すように、携帯用端末機は、制御部１００、データ共有部１０２、メモリ部１０８、入力部１１０、表示部１１２及び通信部１１４を含めて構成され、データ共有部１０２は、データ取得部１０４と周辺機器検索部１０６を含めて構成することがある。
【００１７】
まず、携帯用端末機の制御部１００は、携帯用端末機の全般的な動作を制御する。
例えば、音声電話及びデータ通信のための処理及び制御を行い、通常的な機能に加えて本実施形態にかかる制御部１００は、データ取得部１０４を介して画像データと動画データのような撮影データを取得して、撮影データを取得する共に取得した撮影データを周辺機器と共有するように処理する。さらに、制御部１００は、既に貯蔵されたデータを周辺機器と共有するように処理してもよい。
【００１８】
撮影データを周辺機器と共有するように処理する時、制御部１００は、周辺機器の内から、ユーザーが撮影データを共有する周辺機器として選択した周辺機器を確認、決定した後、確認、決定した周辺機器に撮影データを送信する処理を実行する。
【００１９】
データ共有部１０２は、制御部１００の制御を受けて周辺機器と共有する撮影データを取得した後、取得した撮影データを同じネットワークに存在する周辺機器と共有する処理を実行する。
データ共有部１０２のデータ取得部１０４は、画像データまたは動画データのような撮影データを取得するものであって、被写体撮影可能なカメラモジュールを含めることがある。
【００２０】
データ共有部１０２の周辺機器検索部１０６は、データ共有部１０２の制御を受けてデータ取得部１０４により取得された撮影データを共有する周辺機器を検索する。
この時、周辺機器検索部１０６は、同じネットワークに存在する周辺機器を検索するものであって、一例として同じアクセスポイント（ＡＰ）に接続されている周辺機器を検索する。
【００２１】
メモリ部１０８は、ＲＯＭ、ＲＡＭ、フラッシュＲＯＭなどで構成される。ＲＯＭは、制御部１００及びデータ共有部１０２の処理及び制御のためのプログラムのマイクロコードと各種の参照データを貯蔵する。
ＲＡＭは、制御部１００のワーキングメモリであって、各種プログラムを実行中に発生する一時的なデータを貯蔵する。また、フラッシュＲＯＭは、電話帳、発信メッセージ、受信メッセージのような更新可能な各種保管用データを貯蔵する。
【００２２】
入力部１１０は、０〜９の数字キーボタンと、メニューボタン、キャンセルボタン、確認ボタン、電話ボタン、終了ボタン、インターネット接続ボタン、ナビゲーションキー（または方向キー）ボタン及び文字入力キーなどの複数の機能キーを具備し、ユーザが押すキーに対応するキー入力データを制御部１００に提供する。
【００２３】
表示部１１２は、携帯用端末機の動作の途中に発生する状態情報、文字、多量の動画及び画像などを表示する。
表示部１１２は、カラー液晶ディスプレイ装置を用いることがあり、表示部１１２は、タッチ入力装置を具備してタッチ入力方式の携帯用端末機に適用する場合、入力装置として用いることがある。
【００２４】
通信部１１４は、アンテナ（図示せず）を介して入出力されるデータを無線信号として送受信処理する機能を行なう。
例えば、送信である場合、送信するデータをチャンネルコーディング及び拡散した後、ＲＦ処理して送信する機能を行ない、受信である場合、受信したＲＦ信号を基底帯域信号に変換して基底帯域信号を逆拡散及びチャンネル復号化してデータを復元する機能を行なう。
また、通信部１１４は、本発明の好ましい一実施形態によって取得した撮影データを周辺機器に送信する。
【００２５】
データ共有部１０２の役割は、携帯用端末機の制御部１００によって行われてもよいが、本発明でこれを別途に構成して示したのは、説明の便宜のための例示的な構成に過ぎず、決して本発明の範囲を制限するようなものではなく、当業者であれば本発明の範囲内で多様な変更構成が可能であることがわかる。
例えば、これらのすべてを制御部１００で処理するように構成することもある。
【００２６】
図２は、本発明による携帯用端末機における撮影データを周辺機器と共有する工程を説明するためのフローチャートである。
図２に示すように、携帯用端末機は、最初にステップＳ２０１で撮影データ共有イベントが発生したか否かを確認する。
【００２７】
ここで、撮影データ共有イベントとは、携帯用端末機のデータ取得部（例：カメラモジュール）を介して取得されるデータ（例：画像データ、動画データなど）をデータ取得とともに周辺機器と共有するためのイベントをいい、プレビュー上に表示された被写体を撮影ボタンを押すとともに周辺機器に送信するためのものである。
【００２８】
もし、ステップＳ２０１で撮影データ共有イベントが発生しない場合、携帯用端末機は、ステップＳ２１９に進んで該当機能（例：待機モード）を行う。
【００２９】
一方、ステップＳ２０１で撮影データ共有イベントが発生したことを確認した場合、携帯用端末機は、ステップＳ２０３に進んで撮影モードに進入して被写体が表示されるプレビュー画面を活性化させる。
この時、携帯用端末機は、プレビュー画面を複数の領域に割当して撮影ボタン、周辺機器を検索するボタン等を具備して、一部領域は周辺機器のリストを表示できる領域として割り当てる。この際、周辺機器のリストを表示できる領域に表示された周辺機器の項目をユーザの選択に応じて撮影データ共有のための機器として決定するか、または撮影データ共有のための機器から解除するように行われる。
【００３０】
次に、携帯用端末機は、ステップＳ２０５に進んで周辺機器を検索するユーザの要請を感知したか否かを確認する。
もし、ステップＳ２０５で周辺機器を検索するユーザの要請を感知しない場合、携帯用端末機は、ステップＳ２０３の工程にもどる。
【００３１】
一方、ステップＳ２０５で周辺機器を検索するユーザーの要請を感知した場合、携帯用端末機は、ステップＳ２０７に進んで同じネットワークに存在する周辺機器を検索する。
一例として、この工程は、プレビュー画面に表示された周辺機器検索ボタンをユーザが押すことにより、処理が発生することによって、例えば、同じアクセスポイント（ＡＰ）を用いる無線ＬＡＮ環境に存在する周辺機器を検索する工程を実行する。
【００３２】
次に、携帯用端末機は、ステップＳ２０９に進んで検索された周辺機器のうち共有イベントを行う機器をピックアップしリスト化する。ここで、共有イベントを行う機器は、撮影データ共有のための設定または撮影データ共有のためのアプリケーションを予め設置した端末機を意味する。
【００３３】
次に、携帯用端末機は、ステップＳ２１１に進んで共有イベントを行う機器に対するリストを表示した後、ステップＳ２１３に進んでリストのうち撮影データ共有のための機器を選択する。
【００３４】
次に、携帯用端末機は、ステップＳ２１５に進んで撮影データを取得するのかを確認する。携帯用端末機は、ステップＳ２１５で画像または動画データ取得のための撮影ボタンがユーザにより押されたか否かを確認する工程である。
もし、ステップＳ２１５で撮影データが取得されないことを確認した場合、携帯用端末機は、ステップＳ２１５の工程を再び行う。
【００３５】
一方、ステップＳ２１５で撮影データが取得されたことを確認した場合、携帯用端末機は、ステップＳ２１７に進んでステップＳ２１３で選択した周辺機器（撮影データを共有するために選択した周辺機器）に取得した撮影データを送信することで撮影データを共有する。
【００３６】
上記のように撮影データを共有するための方法は、インターネットまたはアプリケーションストアからダウンロード可能なアプリケーションで具現した後、同じネットワークに存在する機器のうちアプリケーションを設置した周辺機器と撮影データを共有することがある。
以後、携帯用端末機は、本アルゴリズムを終了する。
【００３７】
図３は、本発明による携帯用端末機における撮影データを受信する工程を説明するためのフローチャートである。
図３に示すように、携帯用端末機は、最初にステップＳ３０１で撮影データ共有要請を受信したか否かを確認する。ステップＳ３０１は、周辺機器から取得された撮影データを共有する要請を受信したか否かを確認する工程である。
【００３８】
もし、ステップＳ３０１で撮影データ共有要請を受信していないことを確認した場合、携帯用端末機は、ステップＳ３０９で進んで該当機能（例：待機モード）を行う。
【００３９】
一方、ステップＳ３０１で撮影データ共有要請を受信したことを確認した場合、携帯用端末機は、ステップＳ３０３に進んでデータ共有のための準備を行う。この時、携帯用端末機は、共有予定の撮影データを確認するためにプリビュー画面を表示する撮影モードに進入することができ、撮影データ共有のためのアプリケーションが設置された場合、設置されたアプリケーションを実行する。
【００４０】
次に、携帯用端末機は、ステップＳ３０５に進んで周辺機器から撮影データを受信したか否かを確認する。
もし、ステップＳ３０５で周辺機器から撮影データを受信していない場合、携帯用端末機は、ステップＳ３０３の工程にもどる。
【００４１】
一方、ステップＳ３０５で周辺機器から撮影データを受信した場合、携帯用端末機は、ステップＳ３０７に進んで受信したデータを表示するともに貯蔵するように処理する。この時、携帯用端末機は、受信した撮影データ（共有する撮影データ）を特定フォルダーを生成して貯蔵及び管理する。
以後、携帯用端末機は、本アルゴリズムを終了する。
【００４２】
図４は、本発明の好ましい一実施形態による携帯用端末機における撮影データを共有するための周辺機器を選択する工程を示す図である。
図４（Ａ）は、本発明の好ましい一実施形態による携帯用端末機の画面構成を示す図である。
図４（Ａ）に示すように、携帯用端末機は、撮影データの共有の際にカメラモードに進入する。
【００４３】
カメラモードは、撮影データの主体になる被写体を撮影するためのモードであって、撮影対象である被写体が表示されるプレビュー領域４０６、プレビュー上に表示される被写体を撮影する撮影ボタン４０２、撮影ボタン４０２の上部に示す画像撮影または動画撮影モードを選択することができるボタンを含め、本発明によって周辺に存在する周辺機器を検索するボタン４０４を含む。
【００４４】
周辺機器を検索するボタン４０４は、同じネットワーク（例えば、同じＡＰを介して接続する無線ＬＡＮ環境）に存在する周辺機器を検索するボタンである。
【００４５】
図４（Ｂ）は、本発明の好ましい一実施形態による携帯用端末機における撮影データを共有するための周辺機器を選択する画面を示す図である。
図４（Ｂ）に示すように、携帯用端末機は、周辺機器を検索するボタン４０４が押されたことを感知すると、プレビュー画面の一部領域を周辺機器のリストを表示する領域を領域４１４として割り当てる。
【００４６】
次に、携帯用端末機は、周辺機器（例えば、他ユーザの携帯用端末機等）を検索した後、検索した周辺機器の項目を割り当てられた領域４１４に表示する。
図に示す場合、名称が「ＫＩＭ」というユーザの携帯用端末機４１０で周辺機器を検索するボタンが押された（符号４１２）場合、携帯用端末機４１０は、周辺に既に存在する「ＡＨＮ」というユーザの携帯用端末機を検索する。
これに応じて、携帯用端末機は、周辺機器のリストを表示する領域に「ＡＨＮ」というユーザの携帯用端末機４２０が存在することを知らせるアイコン「ＡＨＮ」を表示する（符号４１４）ことになる。
【００４７】
また、「ＡＨＮ」というユーザの携帯用端末機４２０も「ＫＩＭ」というユーザの携帯用端末機４１０が周辺に存在すること確認することで「ＫＩＭ」というユーザの携帯用端末機が存在することを知らせるアイコン「ＫＩＭ」を周辺機器のリストを表示する領域に表示（符号４２２）する。
携帯用端末機は、撮影データ共有のためにユーザが直接カメラモードに進入させるか、または撮影データ共有のためのアプリケーションが実行された時カメラモードに進入することもある。
【００４８】
図５は、本発明の好ましい一実施形態による携帯用端末機における撮影データを共有する工程を示す図である。
図５に示すように、「ＫＩＭ」というユーザの携帯用端末機５００、「ＡＨＮ」というユーザの携帯用端末機５１０、及び「ＰＡＲＫ」というユーザの携帯用端末機５２０は、互いに同じネットワークに存在していると仮定する。
【００４９】
携帯用端末機のうち、何れか一つの携帯用端末機のユーザが周辺機器を検索するようにして各々の携帯用端末機は、周辺機器のリストを表示している。
すなわち、「ＫＩＭ」というユーザの携帯用端末機５００は、「ＡＨＮ」、「ＰＡＲＫ」というユーザの携帯用端末機５１０、５２０が周辺に位置していることをリストを表示する領域に表示して（符号５０４）、「ＡＨＮ」というユーザの携帯用端末機５１０は、「ＫＩＭ」、「ＰＡＲＫ」というユーザの携帯用端末機５００、５２０が周辺に位置することをリストを表示する領域に表示して（符号５１２）。また、「ＰＡＲＫ」というユーザの携帯用端末機５２０は、「ＡＨＮ」、「ＫＩＭ」というユーザの携帯用端末機５００、５１０が周辺に位置することをリストを表示する領域に表示して（符号５２２）。
【００５０】
もし、「ＫＩＭ」というユーザの携帯用端末機５００でユーザが被写体（例えば、木など）を撮影（符号５０２）して周辺機器のユーザと共有しようとする場合、「ＫＩＭ」というユーザの携帯用端末機５００のユーザは、周辺機器のリストに表示された「ＡＨＮ」、「ＰＡＲＫ」を選択して、撮影ボタン５０６を介して取得された画像（被写体の木に対する画像）を「ＡＨＮ」、「ＰＡＲＫ」のユーザの携帯用端末機５１０、５２０に送信する。
【００５１】
しかし、「ＫＩＭ」というユーザの携帯用端末機５００でユーザが「ＡＨＮ」というユーザの携帯用端末機５１０にだけ撮影データを送信しようとする場合、図に示すように「ＫＩＭ」というユーザの携帯用端末機５００のリストを表示する領域上に「ＡＨＮ」というユーザの携帯用端末機５１０と「ＰＡＲＫ」というユーザの携帯用端末機５２０が表示され、この周辺機器のリスト５０４から「ＡＨＮ」のユーザの携帯用端末機５１０を選択する。
【００５２】
上記のように撮影データを送信する周辺機器を選択した状態で、プレビュー画面上に表示された木を撮影するために、ボタン５０６を押す場合、「ＫＩＭ」というユーザの携帯用端末機５００は、「ＡＨＮ」というユーザの携帯用端末機５１０にだけ撮影したデータを送信する（符号５０８）ように処理する。
【００５３】
これによって、「ＡＨＮ」というユーザの携帯用端末機５１０は、「ＫＩＭ」というユーザの携帯用端末機５００から受信した撮影データをプレビュー画面に表示して（符号５１４）、受信した撮影データをデータ貯蔵領域に貯蔵する処理を実行する。
【００５４】
一方、「ＰＡＲＫ」というユーザの携帯用端末機５２０は、「ＫＩＭ」というユーザの携帯用端末機５００から撮影データを受信しなかったことによってプレビュー画面の表示を維持する。
【００５５】
また、「ＡＨＮ」というユーザの携帯用端末機５１０と「ＰＡＲＫ」というユーザの携帯用端末機５２０も、ユーザの要請に応じて周辺機器を検索して撮影データを共有する動作を行うことができる。
これによって、撮影データを、「ＫＩＭ」と「ＡＨＮ」、「ＫＩＭ」と「ＰＡＲＫ」、そして「ＡＨＮ」と「ＰＡＲＫ」というユーザの携帯用端末機間において共有することができる。
【００５６】
上述のように本発明は、携帯用端末機における撮影データ取得とともに、周辺機器に取得したデータを送信して共有するための装置及び方法に関し、撮影データ取得時に、周辺機器に撮影データを送信することで別途のデータ共有工程なしに撮影データの共有が可能になる。
【００５７】
尚、本発明は、上述の実施形態に限られるものではない。本発明の技術的範囲から逸脱しない範囲内で多様に変更実施することが可能である。
【符号の説明】
【００５８】
１００    制御部
１０２    データ共有部
１０４    データ取得部
１０６    周辺機器検索部
１０８    メモリ部
１１０    入力部
１１２    表示部
１１４    通信部
４０２    撮影ボタン
４０４    周辺機器を検索するボタン
４０６    プレビュー領域
４１４    周辺機器のリストを表示する領域
【図１】
0005913927.tif 000002
【図２】
0005913927.tif 000003
【図３】
0005913927.tif 000004
【図４】
0005913927.tif 000005
【図５】
0005913927.tif 000006